(57)【要約】【目的】ねじ止めを行うことなく、金属繊維から成る発熱板を気密に取り付けられるようにする。【構成】内部が混合気の噴出部となる空間部分を有する筐体１１と、金属繊維を圧縮することによって通気性を有する板状に形成され、筐体１１の一面に配置されてガスの燃焼部となり、燃焼熱により自ら赤熱して赤外線を発生する発熱板１５と、ガスを噴出するために筐体内に配置されるガス噴出部（１７）とを具備し、筐体１１への発熱板１５の取り付け端部１８を耐熱性凝固材１９により目止めすることにより混合気の通過が不可能なように封止し、当該耐熱性止め枠２１により固定する。【選択図】　　　　図２
2004108739.tif 000002
【特許請求の範囲】
【請求項１】
内部が混合気の噴出部となる空間部分を有する筐体と、金属繊維を圧縮することによって通気性を有する板状に形成され、筐体の一面に配置されてガスの燃焼部となり、燃焼熱により自ら赤熱して赤外線を発生する発熱板と、ガスを噴出するため筐体内に配置されるガス噴出部とを具備し、筐体への発熱板の取り付け端部を耐熱性凝固材により目止めすることにより混合気の通過が不可能なように封止し、当該取り付け端部を耐熱性止め枠により固定して成る金属繊維板を使用した無漏洩赤外線ガスバーナー。
【請求項２】
耐熱性を有する板材より成り、多数の孔を有する有孔板を、発熱板とガス噴出部との間に配置した構成を有する請求項１記載の金属繊維板を使用した無漏洩赤外線ガスバーナー。
【発明の詳細な説明】
【０００１】
【発明の属する技術分野】
本発明は、ガスの燃焼熱を高度に活用するための金属繊維板を使用した無漏洩赤外線ガスバーナーに関するものである。
【０００２】
【従来の技術】
メタルファイバーなどと称される、金属繊維を用いて板状の部材を形成し、これを加熱して面状の発熱装置を実現しようとする試みがなされているが、未だ実用化の域に達していないのが実情である。その原因は、板状の部材をねじ止めにより本体に取り付けているため、生ガスがねじ穴を通って漏れ出ることにある。
【０００３】
【発明が解決しようとする課題】
本発明は前記の点に着目してなされたものであり、その課題は、ねじ止めを行うことなく、気密に取り付けた金属繊維から成る発熱板を用いて、ガスの燃焼エネルギーを高度に活用することである。またそれによって、完成された金属繊維板を使用した無漏洩赤外線ガスバーナーを提供することを目的とする。
【０００４】
【課題を解決するための手段】
前記の課題を解決するために本発明は、内部が混合気の噴出部となる空間部分を有する筐体と、金属繊維を圧縮することによって通気性を有する板状に形成され、筐体の一面に配置されてガスの燃焼部となり、燃焼熱により自ら赤熱して赤外線を発生する発熱板と、ガス噴出するため筐体内に配置されるガス噴出部とを具備し、筐体への発熱板の取り付け端部を耐熱性凝固材により目止めすることにより混合気の通過が不可能なように封止し、当該取り付け端部を耐熱性止め枠により固定するという手段を講じたものである。
【０００５】
【発明の実施の形態】
本発明の金属繊維板を使用した無漏洩赤外線ガスバーナーは、ガスの燃焼熱を高度に活用することができるように工夫された装置である。この装置は、内部にガス噴出部となる空間部分を有する筐体を具備している。筐体は、装置の外寸または外形を決めるものと考えて良く、内部空間は燃料ガスの混合気がノズルから噴出する部分となる。筐体には発熱面となる箇所が開口しており、そこは発熱板を設置して閉塞される。
【０００６】
発熱板は、金属繊維を加圧圧縮することによって通気性を有する板状に形成され、筐体の一面即ち前記発熱面となる箇所に配置される。この金属繊維は、材質が金属である繊維状無機材料を指し、直径は数μｍ〜数百μｍの範囲が多いがそれ以外でも支障はない。材質は耐熱性金属という以上には特に指定しないが、鉄合金系の繊維が一般的であり、かつ最も低コストである。しかし基本的に目的とする発熱性能とコストの兼ね合いから決定する。この発熱板は微細な金属繊維の圧縮構造から成るため赤熱するのが早く、しかも全面ほぼ均等に赤熱し、赤熱すると強力な赤外線を発する。
【０００７】
ガス噴出部は、ガス噴出口を有し、混合気を発熱板に供給するものである。ガス噴出部は筐体内におさめられ、ガス噴出口は混合気を噴出させるものであり、従って、通気性を有する発熱板の板面全面でガス燃焼が行なわれる。
【０００８】
発熱板を筐体に取り付けるために、発熱板の取り付け端部を耐熱性の無機充填剤により目止めし、ガスが漏れ出さない構造とし、その上で発熱板の取り付け端部を耐熱性止め枠により固定する。止め枠は、発熱板の取り付け端部を挾む構造とし、少なくとも発熱板の取り付け端部にはねじ止めを行なわない。
【０００９】
発熱板とガス噴出部との間には、耐熱性を有する板材より成る有孔板を配置することが望ましい。有孔板は燃焼のための混合気が通過する多数の孔を有するもので、いわゆるパンチングメタル構造を有するものを使用することができる。この有孔板はガス噴出部から噴出した混合気を面状に拡大し、均等に分散するために設けられる。
【００１０】
【実施例】
以下、図示の実施例を参照して本発明をより詳細に説明する。各図に示されているように、本発明の金属繊維板を使用した無漏洩赤外線ガスバーナー１０は、一面を開放し、他面は閉塞した筐体１１を有し、筐体１１の内部空間１２にガス噴出部１３を配置し、開放した一面とガス噴出部１３との間に有孔板１４を配置し、開放した一面を発熱板１５で覆うという基本的構成を有している。図中符号１６はソケット、１７はガス噴出部のノズルであり、ノズル１７はパンチングメタルから成る有孔板１４の方向に直接混合気流が向かわない向き及び位置に設けられている。
【００１１】
発熱板１５の取り付けのために、高温下でも気密性が保たれるように、まずステンレススチール（他の金属でも良いことは勿論である。）より成る金属繊維に対して取り付け端部１８に耐熱性の凝固材１９を充填し、目止めを行ない、気体を封止可能な構造とする。凝固材１９は発熱板１５の取り付け端部全周に対して充填し、固化した後は硬質の枠状部分となるが、筐体１１への取り付けの際に、耐熱性止め枠２１との間に耐熱性コーキング剤より成る封止部２０を設けてガス漏れを完全に止めている。
【００１２】
耐熱性止め枠２１は、発熱板１５を板面の両側から挾み込む配置を取る一対の挾持部材２２、２３から成り、一方の挾持部材２２は筐体１１の開口端に溶接によって気密に取り付けられている。他方の挾持部材２３は、一方の挾持部材２２の外側に配置され、一方の挾持部材２２との間に取り付け凹所２４を形成する。そして一対の挾持部材２２、２３により取り付け凹所２４に配置した発熱板１５を挾み込んで加圧し、気密に取り付けるものである。一対の挾持部材２２、２３は、直に接している箇所でボルト２５により一体に組み立てられており、その締め付け力は発熱体１５に対する挟持力としても作用する。なお、有孔板１４も筐体１１にねじ止めではなく溶接によって取り付けられている。
【００１３】
混合気は、図２に示してあるように、任意の燃料ガス供給源２５からガス量調節弁２６及び開閉弁２７を介して混合管３０にガスが供給されるとともに、ブロワ２８から空気量調節弁２９を介して混合管３０に供給されることにより、形成される。ガス噴出部１３の位置が筐体内にあり、かつ空気がブロワ２８によって送給される場合、発熱板１５から放出される混合気の発散度合は比較的狭い範囲からより広い範囲まで調整することができ、それに応じて赤外線の放射範囲も変化する。このことは特定の範囲にガス燃焼により発生したエネルギーを集中可能であること、即ち、ガスの燃焼熱を高度に活用できることを意味する。なお燃焼制御のために、発熱板正面の適当な所に着火ヒーター３１と炎検知器３２、及び着火失火制御装置３３が設けられており、着火燃焼と燃焼停止（失火）及びそれらの継続時間などの制御を行えるようになっている。
【００１４】
この発明の金属繊維板を使用した無漏洩赤外線ガスバーナー１０は、ガス噴出部１３のノズル１７から混合気が筐体１１の内部空間１２に噴出すると、その混合気は有孔板１４により均等分布状態とされ、発熱板１５を通過する。ここで着火すると混合気は発熱板面を燃焼表面として全表面で燃焼し、発熱体１５は赤熱して赤外線が発生する。この発熱は発熱板表面全面にほぼ均等に生じるものであり、面発熱となる。発熱面では金属繊維が赤熱して赤外線を発生しており、繊維から成るため赤外線発生開始が非常に早く、高効率である。図６は使用法の例示であり、（ａ）は食品などの被加熱物２６を上から加熱する状態、（ｂ）は逆に下から加熱する状態を示している。このように、本発明はガス燃焼の熱エネルギーが発熱板面から発生すると同時に、強力な赤外線が面的な拡がりをもってを発生し、目的物に伝達することになるので著しく加熱効率が良い。
【００１５】
【発明の効果】
本発明は、以上の如く構成されかつ作用するものであるから赤熱し易い金属繊維から成る発熱板をねじ止めせずに気密に取り付けられ、ガスの燃焼に面的な拡がりを持たせるとともに、特定の範囲に強力な赤外線エネルギーを放射することができるものであるから金属繊維を使用する発熱装置を実用化することができるという効果を奏する。
【図面の簡単な説明】
【図１】本発明に係る金属繊維板を使用した無漏洩赤外線ガスバーナーの実施例を示す平面図。
【図２】同１のＩＩ−ＩＩ線断面図。
【図３】同１のＩＩＩ−ＩＩＩ線断面図。
【図４】図３のＩＶ部拡大図。
【図５】発熱板と有孔板の平面図。
【図６】（ａ）本発明装置の適用例の１を示す説明図。
（ｂ）本発明装置の適用例の２を示す説明図。
【符号の説明】
１０　金属繊維板を使用した無漏洩赤外線ガスバーナー
１１　筐体
１２　空間部分
１３　ガス噴出
１４　有孔板
１５　発熱板
１７　ノズル
１８　取り付け端部
１９　凝固材
【図１】
2004108739.tif 000003
【図２】
2004108739.tif 000004
【図３】
2004108739.tif 000005
【図４】
2004108739.tif 000006
【図５】
2004108739.tif 000007
【図６】
2004108739.tif 000008